(57)【特許請求の範囲】
【請求項１】
一端が閉鎖壁で閉鎖され他端が開口し内部が中空な所定長さの筒状をなし，該閉鎖壁の中央部に該閉鎖壁を貫通した第１の取付け孔及び該取付け孔の周辺に所定面積の開口を形成して通水する第１の通水孔を設けた第１の筒状体と，一端が開口し該開口を差込口にして前記第１の筒状体が挿入される差込部を有し他端が開口し内部が中空な所定長さの第２の筒状体と，前記第１の筒状体の閉鎖壁面と対峙し前記第１の取付け孔に連通する第２の取付け孔及び該取付け孔の周辺に前記第１の通水孔の開口を所定の範囲で閉口し又は開口して通水する第２の通水孔を有する節水板とを備え，
前記節水板は，前記第２の筒状体の中空孔内に位置決めし，前記第１の筒状体を前記第２の筒状体の差込口に挿入して，前記節水板と該第１の筒状体の閉鎖壁面とを対峙させて，前記第１，第２の取付け孔に固定具を挿通して，前記第１，第２の筒状体を回転自在に固定して，
前記第１，２の筒状体のいずれか一方を回転させることによって，前記第１，２の通水孔の開口面積を変更して流水量を調整することを特徴とする節水装置。
【請求項２】
前記第２の筒状体は，その中空孔内にその内壁面を所定高さ隆起させた突起を設け，前記節水板は前記突起に当接させて，位置決めされることを特徴とする請求項１に記載の節水装置。
【請求項３】
前記第１，２の筒状体は，少なくともいずれか一方の筒状体の外壁面にそれらの回転量を示す表示及び両筒状体の回転をロックするロック手段が設けられていることを特徴とする請求項１又は２に記載の節水装置。
【請求項４】
前記第１の筒状体内にストレーナ及び前記第２の筒状体内に泡沫器がそれぞれ収容されていることを特徴とする請求項１〜３のいずれかに記載の節水装置。
【発明の詳細な説明】
【技術分野】
【０００１】  本発明は，蛇口などに取付けて，吐出する水量を可変可能に設定して節水する節水装置に係り，さらに詳しくは蛇口などからの吐水量を外部から確認しながら，簡単に所望の節吐水量に可変可能に設定して節水できる節水装置に関する。
【背景技術】
【０００２】  近年，再び，大都市への人口集中がし始め，この人口集中に伴い水の使用量が大幅に増大し，この大都市へ水を供給する水資源の確保が年々難しくなっている。特に，夏季は，降雨量が少なく，水の使用量が多いので，水不足が毎年深刻な問題となっている。
この状況から，水道水を供給する企業体などは，一般家庭や企業などへ水の節約を呼びかける一方でまた，蛇口などに取付けで節水できる様々なタイプの節水器具が提案されている。【０００３】  例えば，特許第４１００６９３号公報（特許文献１）には，制水駒を用い，この制水駒によって多様な流量制御に対応できる流量制御弁が記載されている。この流量制御弁は，水栓の口端に接合される接合金具と水を吐出する吐出金具との間に形成される通水室に，制水駒を内在させて流量を調整するものであって，制水駒はその中心を通る直径上に対称に蝶羽根を設けてなる制水盤と，この制水盤に重畳されて蝶羽根間に露出される盤面内でその中心に点対称状に所要形状で所要数の通水孔を開口してなる通水盤と，からなり，制水駒を接合金具に内嵌するブッシュを介在して通水室に内設した構成となっている。【０００４】  また，特開２０１１−３３１３３号公報（特許文献２）には，不慣れな作業者でも容易に所望の吐出状態が得られるように流量調整を行うことができるコンパクトで簡素な構成の流量調整器が記載されている。この流量調整器は，同一外径の円柱状の上部材と下部材を同軸状に接合し，上部材と下部材には流量調整器の中心軸線に沿った方向に延びる上部流体通路と下部流体通路が形成されて，上部流体通路の下流端開口と下部流体通路の上流端開口の重なり面積を，上部材と下部材の相対回転によって調整し，絞り流量を調整する構成となっている。
【先行技術文献】
【特許文献】
【０００５】
【特許文献１】特許第４１００６９３号公報
【特許文献２】特開２０１１−３３１３３号公報
【発明が解決しようとする課題】
【０００６】  特許文献１の流量制御弁は，複数個の通水孔が点対称状に配設されているので，それぞれの通水孔を通過する通水は分散されて，流水の偏在が軽減されるので使い勝手が良くなり，一方でまた蝶羽根の位置の変更により多様な流量制御に対応できるなどの特徴を備えている。しかし，この流量制御弁は，所望の流量に設定するには水道の蛇口を閉めて流水を一時ストップし，この流水が無くなったことを確かめた後に，通水室から外部へ制水駒を取り出して手作業により蝶羽根の位置を変更し，その後，再び制水駒を通水室に元に戻して，その後，蛇口を開き，流量を確認し，この流量が所望した量で無いときは，再び，同じ手順で設定をし直す作業が必要になる。このために，この流量変更作業は，面倒で時間が掛かり，流出状態を確認しながら微調整を行うことができないなどの課題がある。
【０００７】  この点，特許文献２の流量調整器は，上記の流量制御弁が抱える課題を解決できるが，一方で流水の偏在が生じ，また，上部材と下部材とは円形凹部内に円形凸部を嵌合し，底面と上端面とを密着させた状態で接合するので，上部材と下部材とは，少なくとも一方の部材は弾性変形可能な材料で作製しなければ嵌合・接合ができない。このため，これらの上部材と下部材とは耐久性の高い金属材などで作製できず，結局，実公平８−１０６０２号公報に記載の節水器具のように，樹脂材で製作して嵌合・接合せざるを得ない。その結果，この流量調整器は耐久性，デザイン性に欠け，しかも高級感を創出できないものとなっている。
【０００８】  また，各特許文献１，２記載の流量制御弁及び流量調整器は，それぞれの特徴，すなわち，前者は流水の偏在が軽減されて使い勝手が良くなり，後者は外部からの調整設定ができるなどの特徴を備えているが，両者を組み合わせた流量制御弁などを作製することができない。すなわち，特許文献２に記載の流量調整器の技術を用いて，特許文献１記載の流量制御弁を外部から操作できるように改造などができるものでない。。
【０００９】  そこで，本発明者らは，上部材及び下部材などの流量調整器を構成する部材を直接，結合するのでなく，別部材，本件では節水板を利用して結合すれば，両部材を金属材などの剛性材で作製できて，耐久性，デザイン性がアップし，しかも高級感を創出でき，しかも流量を確認しながら，外部から所望の流量に可変可能に設定ができることを見い出して，本発明を完成させるに至ったものである。
【００１０】  本発明の目的は，蛇口などからの吐水量を確認しながら，節吐水量を外部から簡単に可変可能に設定できる節水装置を提供することにある。
【００１１】  本発明の他の目的は，装置を構成する部材を金属などの剛性材で作製できて，耐久性及びデザイン性をアップさせることができると共に，高級感を出現した節水装置を提供することにある。
【００１２】  本発明の他の目的は，泡沫器などの付属品を部材内に収容したコンパクトな節水装置を提供することにある。
【課題を解決するための手段】
【００１３】
本発明の上記目的は,以下の構成によって達成できる。すなわち,本発明の第１の態様の
節水装置は，一端が閉鎖壁で閉鎖され他端が開口し内部が中空な所定長さの筒状をなし，該閉鎖壁の中央部に該閉鎖壁を貫通した第１の取付け孔及び該取付け孔の周辺に所定面積の開口を形成して通水する第１の通水孔を設けた第１の筒状体と，一端が開口し該開口を差込口にして前記第１の筒状体が挿入される差込部を有し他端が開口し内部が中空な所定長さの第２の筒状体と，前記第１の筒状体の閉鎖壁面と対峙し前記第１の取付け孔に連通する第２の取付け孔及び該取付け孔の周辺に前記第１の通水孔の開口を所定の範囲で閉口し又は開口して通水する第２の通水孔を有する節水板とを備え，
前記節水板は，前記第２の筒状体の中空孔内に位置決めし，前記第１の筒状体を前記第２の筒状体の差込口に挿入して，前記節水板と該第１の筒状体の閉鎖壁面とを対峙させて，前記第１，第２の取付け孔に固定具を挿通して，前記第１，第２の筒状体を回転自在に固定して，前記第１，２の筒状体のいずれか一方を回転させることによって，前記第１，２の通水孔の開口面積を変更して流水量を調整することを特徴とする。
【００１４】  本発明の第２の態様の節水装置は，第１の態様の節水装置において，前記第２の筒状体は，その中空孔内にその内壁面を所定高さ隆起させた突起を設け，前記節水板は前記突起に当接させて，位置決めされることを特徴とする。
【００１５】  本発明の第３の態様の節水装置は，第１又は２の態様の節水装置において，前記第１，２の筒状体は，少なくともいずれか一方の筒状体の外壁面にそれらの回転量を示す表示及び両筒状体の回転をロックするロック手段が設けられていることを特徴とする。
【００１６】  本発明の第３の態様の節水装置は，第１〜３のいずれかの態様の節水装置において，前記第１の筒状体内にストレーナ及び前記第２の筒状体内に泡沫器がそれぞれ収容されていることを特徴とする。
【発明の効果】
【００１７】  本発明は，上記構成を備えることにより，以下の優れた効果を奏する。すなわち，第１の態様の節水装置によれば，第１，２の筒状体は，節水板を介して，結合されるので，両筒状体を金属材などの剛性材で作製できる。これにより，節水装置は筒状体（ハウジング）を金属などの剛性材で作製できるので，耐久性及びデザイン性をアップすると共に，高級感を創出できる。また，第１，第２の通水孔は中央の取付け孔の周辺に設けてあるので，通水が偏ることなく分散し，使い勝手が良くなる，さらに第１，２の筒状体のいずれか一方を回転させることによって，節水量を外部から流出量を確認しながら簡単に可変設定できる。
【００１８】  実施態様２の節水装置によれば，実施態様１の節水装置において，第２の筒状体に突起を設け，この突起を利用して節水板の位置決めできるので，簡単な構造で節水板を固定できる。
【００１９】  実施態様３の節水装置によれば，実施態様１又は２の節水装置において，表示及びロック手段を設けたので，節水の可変設定が簡単になると共に，設定状態をロックして置くことができる。
【００２０】  実施態様４の節水装置によれば，実施態様１〜３のいずれかの節水装置において，第１，第２の筒状体内に，ストレーナ，泡沫器を収容したので，コンパクトにしてそれぞれの具及び器の機能を発揮させることができる。
【図面の簡単な説明】
【００２１】
【図１】本発明の実施形態に係る節水装置を示し，図１Ａは節水装置の外観側面図，図１Ｂは図１Ａの１Ｂ−１Ｂ線で切断した断面図。
【図２】図１の節水装置を構成する節水金具ホルダーを示し，図２Ａは節水金具ホルダーの外観側面図，図２Ｂは図２Ａの２Ｂ−２Ｂ線で切断した断面図，図２Ｃは図２Ｂ左側からみた左側面図。
【図３】図１の節水装置を構成する調整金具を示し，図３Ａは調整金具の外観側面図，図３Ｂは図３Ａの３Ｂ−３Ｂ線で切断した断面図，図３Ｃは図３Ａを別角度からみた外観斜視図。
【図４】図１の節水装置を構成する節水板を示し，図４Ａは節水板の断面図，図４Ｂは図４Ａの左側面図，図４Ｃは右側面図。
【発明を実施するための形態】
【００２２】  以下，図面を参照して本発明の実施形態を説明する。ただし，以下に説明する実施形態は，本発明の技術思想を具体化するための節水装置であって，本発明をこれらに特定することを意図するものではなく，特許請求の範囲に含まれるその他の実施形態のものにも等しく適応し得るものである。
【００２３】［実施形態］
図１〜図４を参照して，本発明の実施形態に係る節水装置を説明する。
【００２４】
本発明の実施形態に係る節水装置１は，一端が閉鎖壁３で閉鎖され他端が開口し内部が中空な所定長さの筒状をなし，この閉鎖壁の中央部に該閉鎖壁を貫通した第１の取付け孔５及びこの取付け孔の周辺に所定面積の開口を形成して通水する第１の通水孔６A，６Bを設けた節水金具ホルダー（以下，第１の筒状体という。）２と，一端が開口しこの開口を差込口にして第１の筒状体２が挿入される差込部を有し他端が開口し内部が中空な所定長さの調整金具（以下，第２の筒状体という。）１０と，この第１の筒状体の閉鎖壁面と対峙し第１の取付け孔５に連通する第２の取付け孔１９及びこの取付け孔の周辺に第１の通水孔６A，６Bの開口を所定の範囲で閉口し又は開口して通水する第２の通水孔２０A，２０Bを有する節水板１７とを備えている。節水板１７は，第２の筒状体１０の中空孔内に位置決めし，第１の筒状体２を第２の筒状体１０の差込口に挿入して，節水板１７とこの第１の筒状体の閉鎖壁３面とを対峙させて，第１，第２の取付け孔５，１９に固定具２２を挿通して，第１，第２の筒状体２，１０を回転自在に固定して，第１，２の筒状体のいずれか一方を回転させることによって，第１，２の通水孔６A，６B及び２０A，２０Bの開口面積を変更して流水量を調整する構成となっている。
【００２５】  この節水装置１によれば，第１，２の筒状体２，１０は，節水板１７を介して，結合されるので，両筒状体を金属材などの剛性材で作製できる。これにより，耐久性及びデザイン性をアップすると共に，高級感を創出できる。また，第１，第２の通水孔６Ａ，６Ｂ及び２０Ａ，２０Ｂは中央の取付け孔の周辺に設けてあるので，通水が偏ることなく分散し，使い勝手が良くなる，さらに第１，２の筒状体のいずれか一方を回転させることによって，節吐水量を外部から確認しながら簡単に可変設定できる。
【００２６】  以下，この節水装置を構成する個々の部品を詳述する。
【００２７】  図２を参照して，第１の筒状体２は，一端が閉鎖壁３で閉鎖され，他端が開口し内部が中空な所定長さの円形筒状体からなり金属材で形成されている。この金属材は，例えばＢｓＢＭ／Ｃ３６０４ＢＤが好ましい。また，金属製の筒状体２は，その外壁面を金属メッキ，例えばクロムメッキするのが好ましい。この筒状体２を金属材で作製しメッキを施すことによって，機械的強度が高く，耐久性がアップし，しかも高級感を創出できる。なお，この筒状体２を金属材で作製したが，これに限定されるものでなく，樹脂材で作製してもよい。
【００２８】  この筒状体２は，一端の閉鎖壁３から他方の開口端に向かって，中空孔４が形成されて，その孔内径が小径φ１の小径筒状部Ａと，この小径より若干大きい中径φ２の中径筒状部Ｂと，この中径より更に大きい大径φ３で端部が開口した大径筒状部Ｃとに区分されて，中空孔４内は各区分の境界が所定高さの段差で繋がっている。すなわち，小径筒状部Ａと中径筒状部Ｂとの境界に第１の段差ａｂ，中径筒状部Ｂと大径筒状部Ｃ間の境界に第２の段差部ｂｃが形成されている。第１，２の段差の高さは，第１の段差ａｂ＜第２の段差部ｂｃとなっている。なお，中空孔の径は，φ１＜φ２＜φ３となっている。また，各筒状部Ａ〜Ｃの外周壁面も，同様に各区分の境界が所定高さの段差で繋がっている。
【００２９】  小径筒状部Ａは，大径筒状部Ｃの開口と対向する面が所定肉厚の閉鎖壁３で閉鎖され，外周壁面にパッキンが装着される大きさの深さ及び幅長を有する凹み溝８が形成されている。この凹み溝８は小径筒状部Ａの端部に近い位置にあって，外周壁面の円周方向に形成した環状の凹み溝８となっている。なお，この凹み溝８の形成により，小径筒状部Ａの端部は，閉鎖壁３と凹み溝８に接近した鍔部７とが設けられた構造となっている。
閉鎖壁３は，その中央部，すなわち長手軸線上にこの壁を貫通した所定大きさの第１の取付け孔５と，この取付け孔の周辺に第１の通水孔６Ａ，６Ｂが設けられている。取付け孔５は，固定具２２が挿通される大きさであり，また，第１の通水孔，すなわち２個の通水孔６Ａ，６Ｂは，図２Ｂに示すように，それぞれ所定の開口面積を有し，取付け孔５を中心にして左右対称に配設されている。２個の通水孔６Ａ，６Ｂの形状は，同じ形状であって，大きい開口面積を有する大開口とこの大開口から徐々に開口面積を減少させた小開口とを有する孔形状，例えば勾玉形状，すなわち頭部が大開口及びこの頭部から出た尾部が小開口となっている。この形状にすることによって，節水板の通水孔との間で，通水量をきめ細かく調節できる。なお，通水孔は，上記形状に限定するものでなく，他の形状に形成してもよい。
なお。固定具２２は，図１Ｂに示すように，頭部から端部へ向かって所定長さ及び太さのボルトからなり，このボルトは取付け孔に挿通されて，端部に止め具が固定される。
【００３０】  凹み溝８に装着されるパッキン２１（図１Ｂ参照）は，断面がＵ字状をしたリングパッキン，所謂Ｕパッキン（ＮＢＲ／硬度７０°，食衛適）を用いるのが好ましい。このＵ字状リングパッキンを使用することにより，両筒状体間の水漏れを阻止できると共に，筒状体の回転をスムーズにできる。なお，この種のパッキンには，Ｏ状リングパッキンがあるが，これを用いると筒状体の回転が極めて困難で回らないことがあり，無理して回すと部材を破損することがあるので，Ｕ字状リングパッキンが好ましい。
【００３１】  中径筒状部Ｂの中空孔は，図１Ｂに示すように，ストレーナ２４を収容できる大きさ，すなわち長さ，径を有している。ストレーナ２４は，略半球型の網２４ｂと，この網の開口周辺に設けたリング状の鍔部２４ａとを設けたものとなっている。網目は，不純物を捕獲する大きさになっている。このストレーナ２４は，鍔部２４ａが第１の筒状体２の第１の段差部ａｂに当接して固定される。網２４ｂを略半球型にすることによって，不純物は半球頂部から外れた箇所に堆積し，スムーズな節水状態を維持することができるようになる。
【００３２】  大径筒状部Ｃは，蛇口に装着できる大きさ，すなわち，長さ，径を有し，内壁部に雌ネジ９が刻設されている。この大径筒状部Ｃは，段差部ｂｃにパッキン（図１Ｂ参照）を介在させて雌ネジで蛇口に螺合結合される。
【００３３】  図３を参照して，第２の筒状体１０は，両端がそれぞれ開口し内部が中空な所定長さの円形筒状体からなり，金属材で形成されている。この金属材は，第１の筒状体２と同じ材料で形成されている。この筒状体１０は，一端の開口から，他方の開口端に向かって，中空孔１１が形成されて，この中空孔１１は，第１の筒状体２の筒状部Ａ，Ｂの部分が差し込まれる内径φ４の中径筒状部Ｄと，節水板１７が位置決めされる内径φ５の小径筒状部Ｅと，この内径よりさらに大きい大径φ６の大径筒状部Ｆとに区分されて，中空孔１１内の各区分の境界が所定高さの段差で繋がっている。すなわち，中径筒状部Ｄと小径筒状部Ｅとの境界に第１の段差ｄｅ，小径筒状部Ｅと大径筒状部Ｆ間の境界に第２の段差部ｅｆが形成されている。なお，中空孔の径は，φ４＞φ５＜φ６となっている。また，外周壁面も同様に各区分の境界が所定高さの段差で繋がっている。
【００３４】  中径筒状部Ｄは，その内部孔が第１の筒状体２の筒状部Ａ，Ｂの部分が差し込まれる内径φ４を有し，第１の筒状体２の鍔部７が当接する壁面及びパッキン２１が摺接する内壁面を有している。また，外周壁面１２には目盛１３が刻設されており，更にこの外周壁面を貫通して，第１の筒状体２の回転を止めるロック孔１４が形成されている。目盛１３は，第１の筒状体２の外周壁面にも矢印などの表示（図示省略）を設け，この矢印表示との関係で，この筒状体２の回転量を外部から確認する。また，ロック孔１４には，固定ネジ（図示省略）をネジ込み第１の筒状体２が回転できないようにする。この固定ネジは，筒状体の回転をロックするロック手段となるが，この手段はこれに限定されるものでなく，公知のロック手段を用いてもよい。
【００３５】  小径筒状部Ｅは，この部分の内部孔１１ａに節水板１７が嵌め込み位置決めされる突起１５がされている。すなわち，この突起１５は，内部孔１１ａの内周壁から中心軸線側へ向かって所定高さ隆起した凸状突起となっている。この凸状突起により，内部孔１１ａの内径が他の部分と比べて，狭められて，この狭められた箇所に節水板１７が嵌め込まれる。
【００３６】  大径筒状部Ｆ部分は，この部分の中空孔が比較的大きくして泡沫器２５が収容される大きさとなっている。泡沫器２５は，中空孔の内壁に雌ネジ１６を刻設して，泡沫器２５と羅合結合するのが好ましい。なお，泡沫器２５は，公知のものを使用するので，説明を省略する。
【００３７】  図４を参照して，節水板１７は，所定の径及び肉厚を有する円盤状の金属板体をプレス加工により作製されている。金属はステンレスが好ましい。この節水板１７は，外周縁を若干残して，中央部へ向けて所定深さ凹ませた浅深の皿状をなしている。このプレス加工により，外周縁は鍔部１８ａ，他の部分は皿底となり，この皿底１８ｂには，その中心部に底板を貫通する第２の取付け孔１９と，この取付け孔１９の左右に所定面積の第２の通水孔２０Ａ，２０Ｂが形成されている。これらの通水孔２０Ａ，２０Ｂは，各第１の筒状体２の第１の通水孔６Ａ，６Ｂより若干幅広であるが長さ方向では若干短長になっている。これにより，第の筒状体２を第１の筒状体１０に対して，９０°回転したときに，第１の通水孔６Ａ，６Ｂと第２の通水孔２０Ａ，２０Ｂとは，開口面積が最大、所謂全開となり通水量が最大になり，この角度を減らすに従って開口面積が減少し始めて，通水量が徐々に減少する。また、その角度を０°にすると，第１の通水孔６Ａ，６Ｂの長手方向の長さが第２の通水孔２０Ａ，２０Ｂより長くなっていいるので，第１の通水孔６Ａ，６Ｂ孔形状の尾部が第２の通水孔２０Ａ，２０Ｂの開口内に残り，尾部の開口から最小の通水となる。
【００３８】  節水装置１の組立ては，まず，第２の筒状体１０の中空孔１１内に節水板１７を嵌め込み，位置決め固定する。次いで，この筒状体１０の差込み部から第１の筒状体２を差込み，この閉鎖壁３を節水板１７に対峙させる。その後，第１の筒状体２の第１の取付け孔５に固定具２２を挿入し，節水板１７の第２の取付け孔１９に挿通し，固定具２１の先端部に止め具を固定する。この際，第１の筒状体２は，節水板１７に対して，回転自在に固定する。これにより，第１の通水孔６Ａ，６Ｂと第２の通水孔２０Ａ，２０Ｂとの各開口が対向する。また，第１の筒状体２の中空孔４内にゴミ捕獲具２４及び第２の筒状体１０の中空孔１１内に泡沫器２５を挿入して，固定する。
この組立てにより，第１，２の筒状体２，１０のいずれか一方を回転させることによって，第１，２の通水孔６Ａ，６Ｂ及び２０Ａ，２０Ｂの開口面積を変更して流水量を調整できる。
【００３９】  この節水装置によれば，第１，２の筒状体は，節水板を介して，結合されるので，両筒状体を金属材などの剛性材で作製できる。これにより，耐久性及びデザイン性をアップすると共に，高級感を創出できる。また，第１，第２の通水孔は中央の取付け孔の周辺に設けてあるので，通水が偏ることなく分散し，使い勝手が良くなる，さらに第１，２の筒状体のいずれか一方を回転させることによって，節吐水量を外部から確認しながら簡単に可変設定できる。
また，第２の筒状体に突起を設け，この突起を利用して節水板の位置決めできるので，簡単な構造で節水板を固定ができる。
更に，表示及びロック手段を設けたので，節水の可変設定が簡単になると共に，設定状態をロックして置くことができる。また第１，第２の筒状体内に，ごみ捕獲具，泡沫器を収容したので，コンパクトにしてそれぞれの器具及び器の機能を発揮させることができる。
【符号の説明】
【００４０】１                節水装置
２                第１の筒状体
３                閉鎖壁
４                中空孔
５                第１の取付け孔
６Ａ，６Ｂ        第１の通水孔
８                凹みみ溝
１０              第２の筒状体
１３              目盛
１４              ロック孔
１５              突起
１７              節水板
１９              第２の取付け孔
２０Ａ，２０Ｂ    第２の通水孔
２１              パッキン
２２              固定具
２４              ストレーナ
２５              泡沫器
【要約】
【課題】節吐水量を外部から確認しながら簡単に可変可能に設定できる節水装置を提供すること。
【解決手段】一端が閉鎖壁で閉鎖され他端が開口し内部が中空な所定長さの筒状体からなる第１の筒状体２と，一端が開口し該開口を差込口にして第１の筒状体が挿入される差込部を有し他端が開口し内部が中空な所定長さの第２の筒状体１０と，第２の通水孔を有する節水板１７とを備え，節水板１７は，第２の筒状体１０の中空孔内に位置決めし，第１の筒状体２を第２の筒状体の差込孔に挿入して，節水板１７と第１筒状体２の閉鎖壁面とを対峙させて，第１，第２の取付け孔に固定具２２を挿通して，第１，第２の筒状体を回転自在に固定して，第１，２の筒状体のいずれか一方を回転させることによって，第１，２の通水孔の開口面積を変更して流水量を調整する。
【選択図】図１【図１】
0005601743.tif 000002
【図２】
0005601743.tif 000003
【図３】
0005601743.tif 000004
【図４】
0005601743.tif 000005